(57)【要約】【課題】かばん類を急な雨でも濡らさずに、容易に持ち運びができる防水性のかばんカバーで、かつ、バックとしても利用可能な携帯式レインカバーを提供する。【解決手段】防水性のシートを使用したカバー本体１に、かばんを入れ、該カバー底の袋口シート１．ｅのひもを絞り、その上に止め具６．ａ．６．ｂをはめ、該カバーの前面１．ｂと背面１．ｄをつなぎ、かばんを収納する。前面から上面背面に這わせたベルト２．ａは前面と背面のみ取り付けてあり、上面に渡ったベルト２．ｂは浮いている為持ち手として使用でき、かばん類を収納後において雨などに濡らさず、容易に持ち運ぶことができる。カバー底の止め具６．ａ．６．ｂは双方の向きを相対する向きに取り付けてあり、前面同士、背面同士に嵌めかえることと、ベルトの長さを調節することにより該ベルトが持ち手となり、カバー本体を上下逆さにしてバックとしても使用可能なレインカバーである。【選択図】  図１
2004209201.tif 000002
【特許請求の範囲】
【請求項１】
前面から上面、背面へとつながる防水性素材を用いたシートと、側面シート、底には袋口シートを具備する底無しのカバー本体を有するレインカバーであって前面から上面、背面へとつながるシートには、二本のベルトが這わせてある。該ベルトは前面と背面のみ本体カバーに取り付けてあり、上面のベルトは浮かせてあることを特徴とするレインカバー。
【請求項２】
前記のベルトの一方は前面の底部分に、止め具（オス）が取り付けてあり、該ベルトの始点となっている。前面から上面、背面へと這わせたベルトは背面の袋口まで取り付けられており、それ以降のベルトはふらして止め具（メス）がベルトに取り付けられ、ベルト上で移動可能となっている。もう一方の背面から上面、前面へと這わせたベルトは、背面の底部分に前面と相対する位置に止め具（オス）が取り付けてあり、該ベルトの始点となっている。該ベルトは前面の袋口まで取り付けられており、それ以降のベルトはふらして止め具（メス）がベルトに取り付けられベルト上で移動可能となっている。前記のベルトの終点にはフックがついている。前記の構造により、止め具が前面同士、背面同士へ取り替え可能となることを特徴とする請求項１のレインカバー。
【請求項３】
本体カバー底の袋口シートは一端が割れているが本体との接ぎ合わせ個所は重ねてつけられていて、袋口シートの周囲が本体の底の周囲と同寸になるように、重なった部分から袋口シートの口まで三角に重なっている。袋口シートの周囲はひもが通せる筒状になっており、ひもとストッパーを有すことを特徴とした請求項１に記載のレインカバー。
【請求項４】
前記の本体カバー前面にはポケット２個が取り付けられている。そのポケット口は袋口側のポケット口を下向きに、上面側のポケット口を上向きにして重ねてあり、重なり部分の内側にマジックテープが取り付けられている。上記のポケットを有する請求項１に記載のレインカバー。
【発明の詳細な説明】
【０００１】
【発明の属する技術分野】
本発明は上部に持ち手、底の部分に止め具を付け、雨時のかばん類の携帯を容易ならしめ、かつ、バックとしても利用可能なレインカバーに関するものである。
【０００２】
【従来の技術】
従来、かばん類の持ち運びにおいて、急な雨時には、買い物時に提供されるビニール袋などをこの目的として使用するか、自転車のかごカバーなどが知られている。また、保護カバーに関して、実開平６−６２８１８号には、防水の袋本体の上部にハンドルと蓋を付け、マジックテープによって止めつける保護カバーが開示されている。また、買い物時に増えた荷物はお店で提供されるビニール袋を利用するか、コンパクトになる袋を持参するしかなかった。
【０００３】
【発明が解決しようとする課題】
しかし、前記の買い物時に提供されるビニール袋では、かばん類が雨に濡れるのを十分に防ぐことができない。また、自転車などの籠カバーでは、持ち運び時は雨を防ぐことができない。
【０００４】また、実開平６−６２８１８号に記された保護カバーは、自転車などの籠に入れて使用した場合、もちてと蓋の隙間から雨が浸入する可能性があり、雨を防ぐ為には持ち手が使えず、収納後に持ち運ぶということが、極端に面倒であるという問題点があった。
【０００５】買い物時に増えた荷物の持ち運びにおいては、お店で提供されるビニール袋を利用すると、無駄なゴミが増えることとなり、コンパクトになる袋を持参するのも、その目的だけの為では持つ人が少なかった。
【０００６】
【課題を解決するための手段】
上記目的を達成するために、急な雨時にかばんを包み、雨に濡れなくすると共に、収納後においてもかばん類を容易に持ち運びできるようにした防水のカバーで、かつ、バックとしての機能も持ち合わしている、携帯式レインカバーを発明するに至った。即ち、本発明に関する携帯式かばん用レインカバー兼バックの構成は、側面シートと、前面から上面、背面とにつながるシートと底には袋口シートを具備する底無しのカバーであって、前面から、上面、背面とつながるシートにベルト二本を這わせ、前面と背面のみベルトが取り付けてあり、本体の底のベルト部分に止め具２個が設置され、該止め具を嵌め、上面に渡ったベルトを持ち手として使用できることを特徴としている。また、底の止め具は双方の向きを相対するように取り付けてあり、移動可能になっているので、ベルトを前面同士と背面同士にはめかえることが出来、かつ、ベルトの長さが調節可能である。上記の構造を使用し、本体カバーを上下逆さにすることにより、バックとしても使用できることを特徴としている。該本体は、ベルト端にはフックを有し、本体カバーの前面にはポケット口が上下に向いたポケット２個を有することを特徴としている。
【０００７】
【発明の実施の形態】
本発明の実施の形態を実施例に基づき図面を参照して説明する。
図１（Ａ）に示すとおり、本発明のカバーは、側面シート１．ａと上下に向いたポケット３．ａ３．ｂを有す前面１．ｂから、上面１．ｂ、背面１．ｄへとつながるシートと、底には袋口シート１．ｅを具備する底無しのカバー本体に、ベルト２．ａをカバーの前面から上面、背面へと這わせ前面と背面のみベルトを取り付けた本体を有している。該ベルトは先にフック４が取り付けてある。
図２（Ａ）に示すとおり、上記底無しカバー本体内にかばんを収納し、本体の底部分にある袋口シートの端のひもを絞り、袋口シートの上に止め具６．ａ．６．ｂを前面と背面をつなぎ合わせるように止め、余ったベルトは図１の本体上部のベルト通し５に通し固定させる。カバー上面に渡ったベルト２．ｂは浮いており、持ち手の機能を果たすことを特徴とするレインカバー。
図２（Ｂ）において、止め具６．ａ．６．ｂが双方の向きを相対するようにつけられていて、かつ、止め具６．ａが移動可能になっていることにより、該止め具を前面同士と背面同士にはめ替えて、ベルトの長さを調節し、カバーを上下逆さにして、図１（Ｂ）に示すとおり、バックにもなるしくみである。ふらしているベルトの先には、フックが付いている。
図３（Ａ）において、前記の袋口シート１．ｅは一端が割れているが本体との接ぎ合わせ個所は、重ねてつけられている。袋口シートの周囲が本体の底の周囲と同寸になるように、重なった部分から袋口シートの口まで三角に重なっている。その端の周囲はひもが通せる筒状になっており、ひも７を通し絞れるようになっている。図３（Ｂ）において、袋口シート１．ｅの一端が割れていることによって、袋の口が開きやすくなっている。
【０００８】
【発明の効果】
本発明は、以上説明したように構成されているので、以下に記載されているような効果を奏する。
請求項１のカバー上部の持ち手と底の部分の止め具によりかばん類を収納後、カバーを被せたまま容易に持ち運び可能である。さらに、本発明は、ベルトの先にフックを具備していることにより、自転車籠などにフックを取り付けることによって、盗難を防止するという効果を奏する。
請求項２の底部分に、双方の向きを相対するように付けられている止め具を嵌めかえる事により、持ち手となり、カバー本体を逆さにしてバックとしても使用可能になり、荷物が増えた場合に対応できる。また、本発明の構造により、平面的にできるため、コンパクトにたたむことができ、しかもレインカバーとバックを兼ねていることによりつねに携帯しやすくなる。
請求項３の袋口シートの一端が割れていることにより、袋の口が広く開けられ、かばん類の収納や、荷物の収納に便利である。袋口シートの割れ部分は、本体との接ぎ合わせ個所を重ねていることにより閉じたときには雨よけになる。
請求項４の前面のポケット口が上下に向いて重ねて付けてあり、さらに、重なり部分にはマジックテープが取り付けてあることによりカバーとバックどちらの使用時にも小物が収納可能である。特に、レインカバーとしての使用時には一々かばんの中から小物を出す手間がなくなる為、便利である。
【図面の簡単な説明】
【図１】（Ａ）レインカバーとしての使用時の斜視図である。
【図１】（Ｂ）バックとしての使用時の斜視図である。
【図２】（Ａ）レインカバーを下から見た底部分の斜視図である。
【図２】（Ｂ）カバーを上下逆さにし、止め具を外し、ベルトの長さを調節した時の斜視図である。
【図３】（Ａ）袋口シートを上に広げた時の斜視図である。
【図３】（Ｂ）袋口シートを外側に広げた時の斜視図である。
【図４】（Ａ）カバーとしての使用時においてポケットの使用方向である。
【図４】（Ｂ）バックとしての使用時においてポケットの使用方向である。
【図５】（Ａ）カバーの側面部分を折り、平らにした時の平面図である。
矢印（→）は折りたたみの様子である
【図５】（Ｂ）折りたたみ、丸めて、止め具を止めたときの斜視図である。
【符号の説明】
１．      カバー本体
１．ａ    カバー側面シート
１．ｂ    カバー前面部
１．ｃ    カバー上部
１．ｄ    カバー背面部
１．ｅ    袋口シート
２．ａ    ベルト
２．ｂ    カバーとして使用時の持ち手となるベルト
３．ａ    カバー用ポケット
３．ｂ    かばん用ポケット
４．      フック
５．      ベルト通し
６．ａ    止め具（オス）
６．ｂ    止め具（メス）
７．      ひも
８．      ひもストッパー
９．      マジックテープ
【図１】
2004209201.tif 000003
【図２】
2004209201.tif 000004
【図３】
2004209201.tif 000005
【図４】
2004209201.tif 000006
【図５】
2004209201.tif 000007